(57)【特許請求の範囲】
【請求項１】
１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定する設定手段と、
ＯＦＤＭ信号を受信するアンテナと、
前記アンテナで受信したＯＦＤＭ信号を周波数変換する周波数変換手段と、
前記周波数変換されたＯＦＤＭ信号をＡ／Ｄ変換するＡ／Ｄ変換手段と、
前記Ａ／Ｄ変換されたＯＦＤＭ信号からＯＦＤＭシンボルを復調する復調手段と、
前記周波数変換手段と前記Ａ／Ｄ変換手段への電力の供給を制御する電力制御手段とを備え、
前記電力制御手段は、前記区間設定手段で設定されたＯＦＤＭシンボル区間中の第１の区間では前記周波数変換手段および前記Ａ／Ｄ変換手段への電力の供給を行い、前記第１の区間以外の第２の区間では、前記周波数変換手段および前記Ａ／Ｄ変換手段の少なくとも一部への電力の供給を停止し、
前記復調手段は、前記Ａ／Ｄ変換手段でＡ／Ｄ変換されたＯＦＤＭ信号のうち前記第１の区間に対応するＯＦＤＭ信号からＯＦＤＭシンボルを復調する
ことを特徴とする信号受信装置。
【請求項２】
前記区間設定手段は、１ＯＦＤＭシンボル区間のうちガードインターバル区間を除く区間の中央を含み、あらかじめ定めた区間長を有する区間を前記第１の区間に設定することを特徴とする請求項１に記載の信号受信装置。
【請求項３】
前記区間設定手段は、１ＯＦＤＭシンボル区間のうちガードインターバル区間を除く区間の中央を中心とする、あらかじめ定めた区間長を有する区間を前記第１の区間に設定することを特徴とする請求項１に記載の信号受信装置。
【請求項４】
前記区間設定手段は、１ＯＦＤＭシンボル区間の中央を中心とする、あらかじめ定めた区間長を有する区間を前記第１の区間に設定することを特徴とする請求項１に記載の信号受信装置。
【請求項５】
前記第１の区間の区間長が、１ＯＦＤＭシンボル区間のうちガードインターバル区間を除く区間の区間長の１／２以上であることを特徴とする請求項２から請求項４のいずれか１項に記載の信号受信装置。
【請求項６】
前記電力制御手段は、前記周波数変換手段と前記Ａ／Ｄ変換手段への電力の供給を常時行う第１のモードと、前記区間設定手段で設定されたＯＦＤＭシンボル区間中の第１の区間では前記周波数変換手段および前記Ａ／Ｄ変換手段への電力の供給を行い、前記第１の区間以外の第２の区間では、前記周波数変換手段およびＡ／Ｄ変換手段の少なくとも一部への電力の供給を停止する第２のモードとを有し、前記第１のモードと前記第２のモードとを切替えて前記周波数変換手段と前記Ａ／Ｄ変換手段への電力の供給を制御し、
前記復調手段は、前記電力制御手段が前記第１のモードで動作する場合には、全ＯＦＤＭシンボル区間に対応するＯＦＤＭ信号からＯＦＤＭシンボルを復調し、前記電力制御手段が前記第２のモードで動作する場合には、前記第１の区間に対応するＯＦＤＭ信号からＯＦＤＭシンボルを復調する
ことを特徴とする請求項１に記載の信号受信装置。
【請求項７】
前記電力制御手段は、あらかじめ定めた周期で前記第１のモードと前記第２のモードとを切替えることを特徴とする請求項６に記載の信号受信装置。
【請求項８】
受信した信号のシンボル同期を行うシンボル同期手段をさらに備え、
前記シンボル同期手段は、前記電力制御手段が前記第１のモードで動作する場合にシンボル同期を行うことを特徴とする請求項６に記載の信号受信装置。
【請求項９】
前記アンテナで受信されたＯＦＤＭ信号の品質を測定する測定手段をさらに備え、
前記区間設定手段は、前記測定手段で測定されたＯＦＤＭ信号の品質に応じて前記第１の区間の区間長を変更することを特徴とする請求項１に記載の信号受信装置。
【請求項１０】
前記アンテナで受信されたＯＦＤＭ信号の品質を測定する測定手段をさらに備え、
前記電力制御手段は、前記測定手段で測定されたＯＦＤＭ信号の品質に応じて前記第１のモードと前記第２のモードとを切替える周期を変更することを特徴とする請求項７に記載の信号受信装置。
【請求項１１】
前記復調手段は、
前記Ａ／Ｄ変換手段でＡ／Ｄ変換されたＯＦＤＭ信号のうち前記第１の区間に含まれるあらかじめ定めた長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記生成されたレプリカとの間の誤差が最小となるレプリカを選択し、
前記フィルタバンク出力ごとに選択されたレプリカから、サブキャリアの変調信号を選択し、
前記選択された変調信号を用いてＯＦＤＭシンボルの復調を行う
ことを特徴とする請求項１に記載の信号受信装置。
【請求項１２】
前記復調手段は、
前記Ａ／Ｄ変換手段でＡ／Ｄ変換されたＯＦＤＭ信号のうち前記第１の区間から前記あらかじめ定めた長さの第３の区間を複数抽出し、抽出された区間ごとに前記複数のフィルタバンク出力を得、
前記レプリカを選択する際には、前記抽出された第３の区間ごとに前記フィルタバンク出力と前記生成されたレプリカとの間の誤差を求め、それらの誤差の和が最小となるレプリカを選択する
ことを特徴とする請求項１１に記載の信号受信装置。
【請求項１３】
前記復調手段は、
前記Ａ／Ｄ変換手段でＡ／Ｄ変換されたＯＦＤＭ信号のうち前記第１の区間に含まれるあらかじめ定めた長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記生成されたレプリカとの間の誤差が最小となるレプリカを選択し、
前記フィルタバンク出力ごとに選択されたレプリカに含まれる成分のうち、復調対象のサブキャリアに対応する成分を除く成分を前記フィルタバンク出力から減算して軟判定値を生成し、
前記生成された軟判定値を用いてＯＦＤＭシンボルの復調を行う
ことを特徴とする請求項１に記載の信号受信装置。
【請求項１４】
前記復調手段は、
前記Ａ／Ｄ変換手段でＡ／Ｄ変換されたＯＦＤＭ信号のうち前記第１の区間に含まれるあらかじめ定めた長さの第３の区間に対応するＯＦＤＭ信号を周波数変換して複数のフィルタバンク出力を得、
前記フィルタバンク出力ごとに、チャネル推定値と前記フィルタバンクの周波数特性およびサブキャリアの変調信号の候補から複数のレプリカを生成し、
前記フィルタバンク出力ごとに、前記フィルタバンク出力と前記生成されたレプリカとの間の誤差を算出し、
前記算出された誤差から復調対象であるサブキャリアの変調信号の候補の各々に対する誤差の最小値を求め、
前記求められた最小値を用いてＯＦＤＭシンボルの復調を行う
ことを特徴とする請求項１に記載の信号受信装置。
【請求項１５】
前記復調手段によって復調されるＯＦＤＭ信号を搬送する搬送波の第１の周波数とは異なる第２の周波数の搬送波により送信されるＯＦＤＭ信号を復調する第２の復調手段をさらに備え、
前記電力制御手段は、前記第２の復調手段でＯＦＤＭ信号の復調処理を行なう場合には、前記第２の区間において前記周波数変換手段および前記Ａ／Ｄ変換手段へ電力の供給を行い、
前記周波数変換手段は、前記第２の区間において前記第２の周波数の搬送波により送信されるＯＦＤＭ信号の周波数変換を行い、
前記Ａ／Ｄ変換手段は、前記第２の区間において前記周波数変換手段で変換された前記第２の周波数の搬送波により送信されるＯＦＤＭ信号のＡ／Ｄ変換を行う
ことを特徴とする請求項１に記載の信号受信装置。
【請求項１６】
ＯＦＤＭ信号を変調する変調手段と、
前記変調されたＯＦＤＭ信号をＤ／Ａ変換するＤ／Ａ変換手段とをさらに備え、
前記電力制御手段は、前記Ｄ／Ａ変換手段でＤ／Ａ変換されたＯＦＤＭ信号の送信処理を行なう場合には、前記第２の区間において前記周波数変換手段へ電力の供給を行い、
前記周波数変換手段は、前記第２の区間において前記Ｄ／Ａ変換されたＯＦＤＭ信号を周波数変換し、
前記アンテナは、前記周波数変換手段で周波数変換されたＯＦＤＭ信号を送信する
ことを特徴とする請求項１１に記載の信号受信装置。
【請求項１７】
前記電力制御手段が、前記第２の区間では前記周波数変換手段に含まれるバイアス回路への電力の供給を行うとともに、前記周波数変換手段に含まれるトランジスタ回路への電力の供給を停止することを特徴とする請求項１に記載の信号受信装置。
【請求項１８】
前記電力制御手段が、前記第２の区間では前記周波数変換手段に含まれるＬＮＡ（Ｌｏｗ  Ｎｏｉｓｅ  Ａｍｐｌｉｆｉｅｒ）のバイアス回路への電力の供給を行うとともに、前記ＬＮＡのトランジスタ回路への電力の供給を停止することを特徴とする請求項１に記載の信号受信装置。
【請求項１９】
１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定する区間設定ステップと、
アンテナで受信したＯＦＤＭ信号を周波数変換手段で周波数変換するステップと、
前記周波数変換されたＯＦＤＭ信号をＡ／Ｄ変換手段でＡ／Ｄ変換するステップと、
前記Ａ／Ｄ変換されたＯＦＤＭ信号からＯＦＤＭシンボルを復調する復調ステップと、
前記周波数変換手段と前記Ａ／Ｄ変換手段への電力の供給を制御する電力制御ステップとを有し、
前記電力制御ステップでは、前記区間設定ステップで設定されたＯＦＤＭシンボル区間中の第１の区間では前記周波数変換手段および前記Ａ／Ｄ変換手段への電力の供給を行い、前記第１の区間以外の第２の区間では、前記周波数変換手段およびＡ／Ｄ変換手段の少なくとも一部への電力の供給を停止し、
前記復調ステップでは、前記Ａ／Ｄ変換手段でＡ／Ｄ変換されたＯＦＤＭ信号のうち前記第１の区間に対応する信号からＯＦＤＭシンボルを復調する
ことを特徴とする信号受信方法。
【請求項２０】
コンピュータに、
１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定させる区間設定機能と、
アンテナで受信したＯＦＤＭ信号を周波数変換手段で周波数変換させる機能と、
前記周波数変換されたＯＦＤＭ信号をＡ／Ｄ変換手段でＡ／Ｄ変換させる機能と、
前記Ａ／Ｄ変換されたＯＦＤＭ信号からＯＦＤＭシンボルを復調させる復調機能と、
前記周波数変換手段と前記Ａ／Ｄ変換手段への電力の供給を制御させる電力制御機能とを実現させ、
前記電力制御機能は、前記区間設定機能で設定されたＯＦＤＭシンボル区間中の第１の区間では前記周波数変換手段および前記Ａ／Ｄ変換手段への電力の供給を行い、前記第１の区間以外の第２の区間では、前記周波数変換手段およびＡ／Ｄ変換手段の少なくとも一部への電力の供給を停止し、
前記復調機能は、前記Ａ／Ｄ変換手段でＡ／Ｄ変換されたＯＦＤＭ信号のうち前記第１の区間に対応する信号からＯＦＤＭシンボルを復調する
ことを特徴とする信号受信プログラム。
【発明の詳細な説明】
【技術分野】
【０００１】
本発明は、信号受信装置、信号受信方法および信号受信プログラムに係わり、特に無線信号を受信する場合の消費電力を低減化することを可能とする信号受信装置、信号受信方法、および、信号受信プログラムに関する。
【背景技術】
【０００２】
無線信号を受信する信号受信装置の低消費電力化の方法として、信号送信装置から時分割で複数のデータを伝送する際に、送信するデータの構成（データ位置）に関する情報をフレームの先頭に挿入し、信号受信装置では、そのデータ位置に関する情報に基づいて、必要なデータだけを受信する方法が提案されている（例えば、特許文献１を参照）。このようにすることで、信号受信装置側では、不要なデータを受信するタイミングにおいては、受信動作を停止することができるため、低消費電力化を図ることが可能になる。
【特許文献１】特開２００１‐６９０２３公報（４頁、図１）
【発明の開示】
【発明が解決しようとする課題】
【０００３】
しかしながら、上述した技術は、送信側から送信されるデータを選択的に受信する場合のデータ送受信において用いることができるに過ぎず、例えば、送信されたデータをすべて受信する必要がある場合には適用することはできない。
【０００４】
本発明は、上記従来技術の問題点を解決するためになされたものであって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの一部の区間に対応するＯＦＤＭ信号を受信して、受信した一部のＯＦＤＭ信号から原シンボルを復調することで、信号を受信しない区間において信号受信動作を停止して低消費電力化を実現することを可能とした信号受信装置、信号受信方法および信号受信プログラムを提供することを目的とする。
【課題を解決するための手段】
【０００５】
上記目的を達成するために、本発明の信号受信装置は、１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定する設定手段と、ＯＦＤＭ信号を受信するアンテナと、前記アンテナで受信したＯＦＤＭ信号を周波数変換する周波数変換手段と、前記周波数変換されたＯＦＤＭ信号をＡ／Ｄ変換するＡ／Ｄ変換手段と、前記Ａ／Ｄ変換されたＯＦＤＭ信号からＯＦＤＭシンボルを復調する復調手段と、前記周波数変換手段と前記Ａ／Ｄ変換手段への電力の供給を制御する電力制御手段とを備え、前記電力制御手段は、前記区間設定手段で設定されたＯＦＤＭシンボル区間中の第１の区間では前記周波数変換手段および前記Ａ／Ｄ変換手段への電力の供給を行い、前記第１の区間以外の第２の区間では、前記周波数変換手段および前記Ａ／Ｄ変換手段の少なくとも一部への電力の供給を停止し、前記復調手段は、前記Ａ／Ｄ変換手段でＡ／Ｄ変換されたＯＦＤＭ信号のうち前記第１の区間に対応するＯＦＤＭ信号からＯＦＤＭシンボルを復調することを特徴とする。
【０００６】
また、本発明の信号受信方法は、１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定する区間設定ステップと、アンテナで受信したＯＦＤＭ信号を周波数変換手段で周波数変換するステップと、前記周波数変換されたＯＦＤＭ信号をＡ／Ｄ変換手段でＡ／Ｄ変換するステップと、前記Ａ／Ｄ変換されたＯＦＤＭ信号からＯＦＤＭシンボルを復調する復調ステップと、前記周波数変換手段と前記Ａ／Ｄ変換手段への電力の供給を制御する電力制御ステップとを有し、前記電力制御ステップでは、前記区間設定ステップで設定されたＯＦＤＭシンボル区間中の第１の区間では前記周波数変換手段および前記Ａ／Ｄ変換手段への電力の供給を行い、前記第１の区間以外の第２の区間では、前記周波数変換手段およびＡ／Ｄ変換手段の少なくとも一部への電力の供給を停止し、前記復調ステップでは、前記Ａ／Ｄ変換手段でＡ／Ｄ変換されたＯＦＤＭ信号のうち前記第１の区間に対応する信号からＯＦＤＭシンボルを復調することを特徴とする。
【０００７】
また、本発明の信号受信プログラムは、コンピュータに、１ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボル区間のうちＯＦＤＭ信号を受信するべき第１の区間を設定させる区間設定機能と、アンテナで受信したＯＦＤＭ信号を周波数変換手段で周波数変換させる機能と、前記周波数変換されたＯＦＤＭ信号をＡ／Ｄ変換手段でＡ／Ｄ変換させる機能と、前記Ａ／Ｄ変換されたＯＦＤＭ信号からＯＦＤＭシンボルを復調させる復調機能と、前記周波数変換手段と前記Ａ／Ｄ変換手段への電力の供給を制御させる電力制御機能とを実現させ、前記電力制御機能は、前記区間設定機能で設定されたＯＦＤＭシンボル区間中の第１の区間では前記周波数変換手段および前記Ａ／Ｄ変換手段への電力の供給を行い、前記第１の区間以外の第２の区間では、前記周波数変換手段およびＡ／Ｄ変換手段の少なくとも一部への電力の供給を停止し、前記復調機能は、前記Ａ／Ｄ変換手段でＡ／Ｄ変換されたＯＦＤＭ信号のうち前記第１の区間に対応する信号からＯＦＤＭシンボルを復調することを特徴とする。
【発明の効果】
【０００８】
本発明によれば、ＯＦＤＭ信号を受信する信号受信装置において、ＯＦＤＭシンボルの一部の区間に対応するＯＦＤＭ信号を受信して、受信した一部のＯＦＤＭ信号から原シンボルを復調することで、信号を受信しない区間において信号受信動作を停止して電力の消費を低減化することが可能となる。
【発明を実施するための最良の形態】
【０００９】
以下、図面を参照しながら本発明の実施形態に係わる信号受信装置について詳細に説明する。なお、以下の実施形態中では、同一の番号を付した部分については同様の動作を行うものとして、重ねての説明を省略する。
【００１０】
（第１の実施形態）
本発明の第１の実施形態の信号受信装置について説明する。この第１の実施形態に係わる信号受信装置は、「連続受信モード」と「間欠受信モード」とを有する。「連続受信モード」においては、常時、無線信号を受信して信号の復調動作を行うが、「間欠受信モード」では、間欠的に無線信号を受信し、受信した時間区間の信号から原信号を復調する。そして、信号を受信しない時間区間においては、信号受信装置の一部に対する電力供給を停止し、電力消費の低減化を図る。「連続受信モード」と「間欠受信モード」の切替えは区間設定部５で行われるが、区間設定部５におけるモードの切替え動作や、各モードにおける各部の動作の詳細については後述する。
【００１１】
図１は、本発明の第１の実施形態に係わる信号受信装置の構成を示すブロック図である。以下、図１を参照して、本発明の第１の実施形態に係わる信号受信装置の構成および動作について説明する。
【００１２】
アンテナ１で受信されたＯＦＤＭ信号は、周波数変換部２でＩＦ信号またはベースバンド信号に変換され、続いて、Ａ／Ｄ変換部３で、アナログ信号からデジタル信号に変換される。
【００１３】
Ａ／Ｄ変換部３で変換されたデジタル信号は、「連続受信モード」では、スイッチ４を介してシンボル同期部５０に入力される。シンボル同期部５０は、ＯＦＤＭシンボルの同期を行い、シンボル同期信号を生成する。
【００１４】
図２に、シンボル同期部５０の構成を示す。シンボル同期部５０は、少なくとも１
ＯＦＤＭシンボル区間の受信信号を用いてシンボル同期信号を生成する。すなわち、受信信号を遅延部２０で有効シンボル時間分だけ遅延させ、相関算出部２１で受信信号と遅延信号との相関値を算出する。相関値は、時刻ごとに、その時刻からＯＦＤＭ信号のガードインターバル（ＧＩ）と同じ長さの時間区間だけ過去の時刻までの信号を用いて算出する。ここで、１ＯＦＤＭシンボルには、ガードインターバル（図３の「Ｘ」の区間）と、そのガードインターバルと同じデータが含まれる区間（図３の「Ｙ」の区間）とが含まれているため、受信信号と遅延信号との間の相関値を算出すると、図３に示すように、相関値には周期的にピークが表れる。そのピークをピーク検出部２２で検出することで、各ＯＦＤＭシンボルの先頭位置を知ることができる。そして、ピーク検出部２２は、検出したピークを用いてシンボル同期信号を生成する。なお、このようなシンボル同期は、「連続受信モード」において行われ、「間欠受信モード」では行われない。
【００１５】
区間設定部５は、図４に示すように、シンボル同期部５０で生成されたシンボル同期信号に基づいて、ＯＦＤＭシンボル区間のうち、ＯＦＤＭ信号を受信すべき区間「Ａ」を設定する。区間「Ａ」の区間長「Ｌ」は、１ＯＦＤＭシンボル区間のうちガードインターバル区間を除いた区間の区間長の１／２以上となるように設定する。これは、後述する信号復調処理において、有効シンボル長の１／２の長さの区間の信号を用いて信号の復調を行うことによる。なお、区間設定方法については後述する。
【００１６】
区間設定部５は、ＯＦＤＭ信号を連続して受信する「連続受信モード」と、間欠的に受信する「間欠受信モード」の切替えも行う。
【００１７】
「連続受信モード」では、電力制御部６により、周波数変換部２およびＡ／Ｄ変換部３は常にオンの状態（電力が供給される状態）に設定される。そして、スイッチ４が接続されて、シンボル同期部５０によるシンボル同期の更新や区間設定部５による区間「Ａ」の設定の更新が継続して行われる。
【００１８】
このとき、スイッチ７は、ＦＦＴ部８側へ接続される。すなわち、Ａ／Ｄ変換部３を経由した信号は、ＦＦＴ部８へ入力され、ＦＦＴ部８で有効シンボル区間の受信信号が周波数領域の信号に変換される。ＦＦＴ部８からの出力信号は、次に、複素除算部９に入力され、複素除算部９でチャネル推定値による１タップ等化処理が行われる。そして、判定部１０におけるビット判定処理を経て、ビタビ復号部１１で誤り訂正処理が行われ、原信号が復調される。
【００１９】
一方、「間欠受信モード」では、区間「Ａ」では、電力制御部６により、周波数変換部２およびＡ／Ｄ変換部３などへの電力供給がなされ、ＯＦＤＭ信号の受信が行われるが、区間「Ａ」以外の区間では、周波数変換部２およびＡ／Ｄ変換部３の少なくとも一部の部分への電力供給がオフに設定され、ＯＦＤＭ信号の受信動作が停止される。
【００２０】
一般的に、図５に示すように、高周波信号を処理するデバイスほど過渡応答が早いので、電力供給をオフにできる時間が長い。例えば、ＲＦ帯のＬＮＡ（Ｌｏｗ  Ｎｏｉｓｅ  Ａｍｐｌｉｆｉｅｒ）やミキサーは過渡応答が早く、ベースバンドのアンプは過渡応答が遅い。そこで、例えば、周波数変換部２に含まれるＬＮＡへは、区間「Ａ」でのみ電力の供給を行い、区間「Ａ」以外の区間では電力供給を停止するようにしてもよい。そして、それ以外の部分（アンプなど）への電力供給は区間によらず常に行うようにすることにより、ＬＮＡにおける電力消費を低減させるとともに、電力供給の切替えにともなう過渡応答の遅れにより、信号受信装置の動作が不安定になることを避けることが可能となる。
【００２１】
また、バイアス回路は過渡応答が遅い（数百μｓｅｃオーダー）ので、周波数変換部２やＡ／Ｄ変換部３のバイアス回路へは常に電力を供給するとともに、区間「Ａ」以外の区間では、これらの各部のトランジスタ回路への電力供給を停止するようにしてもよい。この場合、図６に示すように、バイアス回路からの出力のスイッチを切替えることにより、トランジスタ回路への電力の供給を切替えられるようにすることが好ましい。
【００２２】
そして、区間「Ａ」で受信したＯＦＤＭ信号からＯＦＤＭサブキャリア間の干渉を低減して原信号が復調される。
【００２３】
ここで、電力制御部６における電力供給制御の切替えは、アナログ部（周波数変換部２やＡ／Ｄ変換部３など）の過渡応答特性を考慮して、図７に示すように、区間「Ａ」が開始するよりも早いタイミングで行うようにするとよい。また、アナログ部の過渡特性を信号受信装置の電源投入時に自動的に測定するようにしておき、その測定された過渡応答特性に基づいて、電源をオンにするタイミングを設定できるようにしてもよい。
【００２４】
また、「間欠受信モード」では、スイッチ４が解除され、シンボル同期部５０におけるシンボル同期や区間設定部５における区間設定は行われない。
【００２５】
ここで、ＯＦＤＭシンボルのうち、一部のシンボルを用いて原信号を復調する方法としては、例えば、「笠見ほか、“ＯＦＤＭにおけるガードインターバルを超えるマルチパス遅延に対するフィルタバンクを用いた適応等化方式の検討”、２００５年電子情報通信学会ソサイエティ大会、Ｂ−５−７１」に記載された方法を用いることができる。ただし、上記文献に記載された方法では、図８に示すように、遅延波が先行波のガードインターバルを超える伝播環境を想定しており、有効シンボル区間のうち、遅延波による前シンボルからの干渉が含まれない区間を等化に用いている点で本実施形態と異なる。
【００２６】
以下、ＯＦＤＭシンボル区間の一部の区間に対応する信号からＯＦＤＭシンボルを復調する方法について簡単に説明する。
【００２７】
まず、スイッチ７がフィルタバン１２側へと接続される。そして、フィルタバンク１２が、区間「Ａ」に含まれる信号のうち、有効シンボル長の１／２の長さの区間を抽出して、その抽出された区間に含まれる信号を周波数変換する。続いて、最尤推定部１３が、フィルタバンク１２からの出力ごとに、チャネル推定値とフィルタバンクの周波数特性およびサブキャリアの変調信号の候補から複数のレプリカを生成し、フィルタバンク出力とレプリカとの間の誤差が最小となるレプリカを選択する。さらに、選択したレプリカから、サブキャリアの変調信号を選択する。最尤推定部１３でサブキャリアの変調信号が選択されると、次に、判定部１４がビット判定処理を行い、ビタビ復号部１１で誤り訂正処理が行われ、原信号が復調される。
【００２８】
なお、上述した例では、フィルタバンク１２が、区間「Ａ」から、ひとつの区間だけを抽出して周波数変換する場合について説明したが、図９に示すように、フィルタバンク１２で区間「Ａ」から有効シンボル長の１／２の長さの区間を、時間をずらしながら（τ１，τ２，．．．，τｋ）複数区間抽出し、最尤推定部１３において、抽出された複数の区間ごとにフィルタバンク出力とレプリカとの間の誤差を求め、それらの誤差の平均が最小となるレプリカを選択するようにしてもよい。
【００２９】
このように、「間欠受信モード」において、ＯＦＤＭシンボルの一部である区間「Ａ」から原信号を復調し、区間「Ａ」以外の区間では、信号の受信動作を停止することで、区間「Ａ」以外の区間において、電力の消費を低減化することが可能となる。ここで、周波数変換部２とＡ／Ｄ変換部３の消費電力は、デジタル信号を処理するほかの各部の消費電力の約１０倍程度であり、全体の消費電力の大部分を占めるので、このような間欠受信動作を行うことにより、信号受信装置の大幅な低消費電力化を図ることができる。
【００３０】
次に、図１０を用いて、区間設定部５による区間設定方法を示す。
【００３１】
区間設定部５は、シンボル同期信号に基づいてＯＦＤＭシンボル区間のうちガードインターバル区間を除いた区間の中央を含む区間長「Ｌ」の区間を区間「Ａ」として設定する。例えば、図１０に示すように、ＯＦＤＭシンボル区間のうちガードインターバル区間を除いた区間の中央を中心として、前後に「Ｌ／２」の区間を有する区間を区間「Ａ」として設定する。このように、区間「Ａ」を、ガードインターバル区間を除いた区間の中央部に位置させることにより、シンボル同期が一度確立された後に、伝搬環境の変化によりシンボル同期にずれが生じた場合にも、当該ＯＦＤＭシンボルの前後に送信されたシンボルからの影響を受けにくくなるため、同期ずれによるシンボル間干渉の発生を回避することが可能となる。
【００３２】
図１１は、区間設定部５による別の区間設定方法を示す図である。
【００３３】
図１１に示す例では、区間設定部５は、ガードインターバルを含むＯＦＤＭシンボル区間の中央を中心として、前後に「Ｌ／２」の区間を有する区間を区間「Ａ」として設定している。このようにすることで、遅延波の遅延時間が小さい伝搬環境において、特に、当該ＯＦＤＭシンボルの後に送信されたシンボルによる干渉の発生を回避することが可能となる。
【００３４】
次に、図１２を用いて、区間設定部５におけるモード切替えの方法を説明する。
【００３５】
区間設定部５は、あらかじめ定めた時間「Ｔ」ごとに「間欠受信モード」と「連続受信モード」を切り替えるようにする。上述したように、「連続受信モード」では、シンボル同期部５０がシンボル同期を行う。そのため、伝搬環境の変化などによりシンボル同期がずれた場合でも、「連続受信モード」と「間欠受信モード」を周期的に切替えることにより、「連続受信モード」において定期的なシンボル同期を行うことができる。また、「間欠受信モード」と「連続受信モード」を切り替える時間「Ｔ」を大きい値に設定すれば、「間欠受信モード」における電力消費低減化の効果を長時間得ることができるようになるため、望ましい。
【００３６】
このような区間設定部５における「間欠受信モード」と「連続受信モード」を切替える時間の設定や、「間欠受信モード」における信号を受信する区間「Ａ」の区間長の設定は、受信したＯＦＤＭ信号の品質を品質測定部１５で測定し、測定された品質に基づいて行うことが好適である。以下、品質測定部１５と、品質測定部１５で測定された品質情報に基づく区間設定部５の動作について説明する。
【００３７】
品質測定部１５は、受信したＯＦＤＭ信号の品質を測定し、測定された品質情報を区間設定部５へ送る。ここで、信号品質としては、復調信号の受信電力、ＥＶＭ（Ｅｒｒｏｒ  Ｖａｌｕｅ  Ｍａｇｎｉｔｕｄｅ：変調誤差）、最尤推定における尤度などが用いられる。品質測定部１５から送られた品質情報は区間設定部５に入力され、区間設定部５において、モードの切替え時間「Ｔ」に反映される。具体的には、品質測定部１５から入力された信号品質が低い場合には、モード切替え時間「Ｔ」を小さい値に設定し、「連続受信モード」におけるシンボル同期が頻繁に行われるようにして、信号品質の劣化を回避できるようにする。また、信号品質が低い場合には、区間長「Ｌ」を長い値に設定するようにしてもよい。このようにすることで、ＯＦＤＭサブキャリア間干渉を低減する能力が大きくなるので、信号品質を改善することが可能となる。
【００３８】
なお、上述した実施形態では、区間「Ａ」以外の区間において、周波数変換部２およびＡ／Ｄ変換部３への電力供給を停止する場合の実施形態について説明したが、デジタル信号を処理する部分（例えば、フィルタバンク１２、最尤推定部１３など）についても、復調処理が完了後に電力供給を停止して、低消費電力化することも可能である。
【００３９】
最後に、図１３を用いて、本発明の第１の実施形態に係わる信号受信装置の動作の流れについて説明する。ここで、図１３は、本発明の第１の実施形態に係わる信号受信装置の動作を示すフローチャートである。
【００４０】
まず、区間設定部５において、「連続受信モード」と「間欠受信モード」の設定が行われる（ステップＳ１０１）。信号の受信を開始した段階では、まずシンボル同期を行う必要があるため、「連続受信モード」に設定される。
【００４１】
「連続受信モード」に設定されると、アンテナ１でＯＦＤＭ信号が受信され（ステップＳ１０２）、受信された信号が周波数変換部２、Ａ／Ｄ変換部３へと送られる。「連続受信モード」では、電力制御部６により、周波数変換部２およびＡ／Ｄ変換部３への電力供給が行われているので、受信された信号の周波数変換（ステップＳ１０３）およびＡ／Ｄ変換（ステップＳ１０４）が行われる。
【００４２】
そして、Ａ／Ｄ変換部３でＡ／Ｄ変換された信号は、ＦＦＴ部８、複素除算部９、判定部１０、ビタビ復号部１１を経て原信号へ復調される（ステップＳ１０５）。
【００４３】
また、Ａ／Ｄ変換部３でＡ／Ｄ変換された信号は、別途シンボル同期部５０にも送られ、シンボル同期が行われる（ステップＳ１０６）。そして、シンボル同期された信号に基づいて、区間設定部５において、「間欠受信モード」おける信号を受信する区間「Ａ」が設定される（ステップＳ１０７）。
【００４４】
次に、あらかじめ定められた時間が経過すると、区間設定部５は、「連続受信モード」から「間欠受信モード」へとモードを切替える（ステップＳ１０１）。
【００４５】
「間欠受信モード」では、電力制御部６から周波数変換部２およびＡ／Ｄ変換部３への電力の供給が制御される。すなわち、信号を受信する区間「Ａ」では、周波数変換部２およびＡ／Ｄ変換部３への電力の供給が行われ、アンテナで受信された（ステップＳ１０８）信号の周波数変換（ステップＳ１０９ａ）およびＡ／Ｄ変換（ステップＳ１０９ｂ）が行われる。一方、信号の受信を停止する区間では、周波数変換部２およびＡ／Ｄ変換部３への電力供給が停止される（ステップＳ１０９ｃ）。
【００４６】
「間欠受信モード」における信号の復調は、区間「Ａ」で受信した信号を用いて、フィルタバンク１２、最尤推定部１３、判定部１４、ビタビ復号部１１を介して行われる（ステップＳ１１０）。
【００４７】
そして、さらにあらかじめ定められた時間が経過すると区間設定部５は、「間欠受信モード」から「連続受信モード」へとモードを切替え、上述した動作を繰り返す。
【００４８】
以上が、本発明の第１の実施形態に係わる信号受信装置の動作の流れである。
【００４９】
なお、この信号受信装置は、例えば、汎用のコンピュータ装置を基本ハードウェアとして用いることでも実現することが可能である。すなわち、区間設定部５、電力制御部６、ＦＦＴ部８、複素除算部９、判定部１０、１４、ビタビ復号部１１、フィルタバンク１２、最尤推定部１３、品質測定部１５、および、シンボル同期部５０は、上記のコンピュータ装置に搭載されたプロセッサにプログラムを実行させることにより実現することができる。このとき、信号受信装置は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。
【００５０】
（第２の実施形態）
本発明の第２の実施形態の信号受信装置について説明する。
【００５１】
図１４は、本発明の第２の実施形態に係わる信号受信装置の構成を示すブロック図である。第１の実施形態と異なる点は、レプリカ減算部１６とビタビ復号部１７である。
【００５２】
「間欠受信モード」において、レプリカ減算部１６は、最尤推定部１３で選択されたレプリカ成分から復調対象のサブキャリアに対応する成分を除いた残りのレプリカ成分をフィルタバンク出力から減算する。これにより、ＯＦＤＭサブキャリア間の干渉が低減された軟判定値が生成される。軟判定値はビタビ復号部１７に入力され、ビタビ復号部１７は、軟判定ビタビ復号処理を行う。
【００５３】
このように本発明の第２の実施形態に係わる信号受信装置によれば、軟判定ビタビ復号処理を行うので、ビタビ復号のパスメトリックを計算する際に雑音の影響も加味することができ、信号受信性能を改善することが可能となる。
【００５４】
（第３の実施形態）
本発明の第３の実施形態の信号受信装置について説明する。
【００５５】
図１５は、本発明の第３の実施形態に係わる信号受信装置の構成を示すブロック図である。第１の実施形態と異なる点は、最小誤差検出部１８とビタビ復号部１９である。
【００５６】
「間欠受信モード」において、最小誤差検出部１８は、最尤推定部１３で計算された誤差から復調対象のサブキャリアの変調信号の候補の各々に対する誤差の最小値を検出する。これにより、変調信号の候補の各々に対するメトリックが生成される。メトリックはビタビ復号部１９に入力され、ビタビ復号部１７は、尤度を考慮したビタビ復号処理を行う。
【００５７】
このように本発明の第３の実施形態に係わる信号受信装置によれば、尤度を考慮してビタビ復号処理を行うので、ビタビ復号のパスメトリックを計算する際に信頼度が低いデータの影響を小さくすることができ、信号受信性能を改善することが可能となる。
【００５８】
（第４の実施形態）
本発明の第４の実施形態の信号受信装置について説明する。
【００５９】
図１６は、本発明の第４の実施形態に係わる信号受信装置の構成を示すブロック図である。第１の実施形態と異なる点は、線形変換部３０と判定部３１である。
【００６０】
「間欠受信モード」において、区間設定部５で設定された区間「Ａ」（区間長「Ｌ」）の受信信号は、線形変換部３０に入力され、線形変換部３０において線形変換処理が行われる。以下に、線形変換処理の例を示す。
【００６１】
有効シンボル長をＮ、データサブキャリア数をＭとすると、ＯＦＤＭ信号の有効シンボル区間のうち、区間「Ａ」（区間長「Ｌ」）に対応する送信信号ｓ（ｎ）（ｎ＝０，１，．．．，Ｌ−１）は、（１）式で与えられる。ただし、区間長「Ｌ」は、Ｎ＞Ｌ≧Ｍとなるように設定されるものとする。
【数１】
0004695523.tif 000002
【００６２】
ｘ（ｋ）は、例えば、ＩＱコンスタレーション上のマッピング点を示し、データが割り当てられないサブキャリア（ｋ＝Ｍ，Ｍ＋１，．．．，Ｎ−１）に関してはｘ（ｋ）＝０であるものとする。
【００６３】
（１）式を行列表現すると（２）式を得る。
【数２】
0004695523.tif 000003
【００６４】
このとき、本実施形態に係わる線形変換のための線形行列は（３）式で与えられる。
【数３】
0004695523.tif 000004
【００６５】
（３）式において、Ｈは行列の複素共役転置、Ｅ｛・｝は期待値、Ｉは単位行列を表す。また、ｐｎは想定される雑音電力を表す。
【００６６】
ここで、特に、ｘ（０），ｘ（１），．．．，ｘ（Ｍ−１）が互いに無相関であり、かつ、送信信号の平均電力をｐｓと仮定すると、（４）式が得られる。
【数４】
0004695523.tif 000005
【００６７】
さらに、ｐｓ＝１、ｐｎ＝０と仮定すると、（５）式が得られる。
【数５】
0004695523.tif 000006
【００６８】
このとき、線形変換部３０で行われる線形変換は、線形行列Ｂを用いて（６）式で与えられる。ここで、ｙ（ｎ）（ｎ＝０，１，．．．，Ｌ−１）は、送信信号ｓ（ｎ）に対応する受信信号である。また、ｘ´（ｎ）（ｎ＝０，１，．．．，Ｍ−１）は、送信側のサブキャリア変調信号ｘ（ｎ）に対応する推定値である。
【数６】
0004695523.tif 000007
【００６９】
このようにして、線形変換部３０において（６）式で表される線形変換処理が行われ、線形変換後の信号が判定部３１へと入力される。
【００７０】
判定部３１は、ビット判定処理を行い、ビット判定処理後の信号がビタビ復号部１１に入力され、復号される。
【００７１】
このように本発明の第４の実施形態に係わる信号受信装置によれば、受信信号を線形変換処理して復調を行なうことにより、区間「Ａ」の受信信号を用いて、通常のＦＦＴ処理に相当する処理を行ない、受信信号の周波数成分を抽出することができるので、復調のための演算量を削減することができる。
【００７２】
（第５の実施形態）
本発明の第５の実施形態の信号受信装置について説明する。
【００７３】
図１７は、本発明の第５の実施形態に係わる信号受信装置の構成を示すブロック図である。第１の実施形態と異なる点は、電力制御部４０、アンテナ４１、周波数変換部４２、D／Ａ変換部４３、他通信システムの変復調部４４である。
【００７４】
本実施形態では、「間欠受信モード」において、区間「Ａ」以外の区間では、他の無線通信システムからのデータの送信または受信を行う。すなわち、アンテナ４１および周波数変換部４２は、区間「Ａ」以外の区間では、他の無線通信システムが送受信するＯＦＤＭ信号の搬送波の周波数帯が設定される。この区間において、他の無線通信システムが受信を行う場合には、アンテナ４１において設定された周波数帯の信号が受信される。受信された信号は、周波数変換部４２およびＡ／Ｄ変換部３を経て、スイッチ７ａを介して他の無線通信システムの変復調部４４に送られる。一方、この区間において送信を行う場合には、他の無線通信システムの変復調部４４から送信された信号がＤ／Ａ変換部４３でアナログ信号に変換され、周波数変換部４２で周波数変換されて、アンテナ４１から送信される。
【００７５】
電力制御部４０は、このように区間「Ａ」以外の区間において、他の無線通信システムからのデータの送受信を行う場合には、周波数変換部４２やＡ／Ｄ変換部３への電力の供給を継続する。一方、区間「Ａ」以外の区間において、他の無線通信システムによるデータの送受信を行わない場合には、周波数変換部４２やＡ／Ｄ変換部３への電力の供給を停止し、電力消費の低減化を図る。
【００７６】
このように本発明の第５の実施形態に係わる信号受信装置によれば、アンテナ４１、周波数変換部４２、Ａ／Ｄ変換部３を異なるシステム間で共有することができるので、電力消費の低減化とともに、無線通信システムを低コスト化することが可能になる。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７８】
【図１】本発明の第１の実施形態に係わる信号受信装置の構成を示すブロック図。
【図２】本発明の第１の実施形態のシンボル同期部の構成を示すブロック図。
【図３】本発明の第１の実施形態のシンボル同期の方法を示す図。
【図４】本発明の第１の実施形態における１ＯＦＤＭシンボル中の信号受信区間を示す図。
【図５】本発明の第１の実施形態の構成要素の過渡応答の速さ示す図。
【図６】本発明の第１の実施形態の電力供給の制御方法を示す図。
【図７】本発明の第１の実施形態の電力供給の制御方法を示す図。
【図８】ＯＦＤＭシンボルの一部から原信号を復調する方法の一例を示す図。
【図９】本発明の第１の実施形態の原信号の復調方法の一例を示す図。
【図１０】本発明の第１の実施形態の信号受信区間の一設定例を示す図。
【図１１】本発明の第１の実施形態の信号受信区間の一設定例を示す図。
【図１２】本発明の第１の実施形態のモード切替えの方法を示す図。
【図１３】本発明の第１の実施形態の動作を示すフローチャート。
【図１４】本発明の第２の実施形態に係わる信号受信装置の構成を示すブロック図。
【図１５】本発明の第３の実施形態に係わる信号受信装置の構成を示すブロック図。
【図１６】本発明の第４の実施形態に係わる信号受信装置の構成を示すブロック図。
【図１７】本発明の第５の実施形態に係わる信号受信装置の構成を示すブロック図。
【符号の説明】
【００７９】
１、４１・・・アンテナ
２、４２・・・周波数変換部
３・・・Ａ／Ｄ変換部
４、７ａ、７ｂ・・・スイッチ
５・・・区間設定部
６、４０・・・電力制御部
８・・・ＦＦＴ部
９・・・複素除算部
１０、１４、３１・・・判定部
１１、１７、１９・・・ビタビ復号部
１２・・・フィルタバンク
１３・・・最尤推定部
１５・・・品質測定部
１６・・・レプリカ減算部
１８・・・最小誤差検出部
２０・・・遅延部
２１・・・相関計算部
２２・・・ピーク検出部
３０・・・線形変換部
４３・・・Ｄ／Ａ変換部
４４・・・他システム変復調部
５０・・・シンボル同期部
【図１】
0004695523.tif 000008
【図２】
0004695523.tif 000009
【図３】
0004695523.tif 000010
【図４】
0004695523.tif 000011
【図５】
0004695523.tif 000012
【図６】
0004695523.tif 000013
【図７】
0004695523.tif 000014
【図８】
0004695523.tif 000015
【図９】
0004695523.tif 000016
【図１０】
0004695523.tif 000017
【図１１】
0004695523.tif 000018
【図１２】
0004695523.tif 000019
【図１３】
0004695523.tif 000020
【図１４】
0004695523.tif 000021
【図１５】
0004695523.tif 000022
【図１６】
0004695523.tif 000023
【図１７】
0004695523.tif 000024